(57)【要約】  【課題】  下水処理場に流れてくる排水の中には、汚染状態の高い排水が意図的に流れてくる場合がある。これらが混入することによって、処理性能の低下、処理時間が長時間化するなど弊害が多い。汚染状態の高い汚水が流れてきた際にも速やかかつ精度よく汚染度を検出し、下水処理場にかかる処理工程の負担を軽減する。【解決手段】  下水排出の状態を監視する、通信機能を有する監視手段ｍ１〜ｍnと、監視手段ｍ１〜ｍnと通信して、下水排出の状態に関する情報を取得する通信手段１とを備え、  監視手段ｍ１〜ｍnは、下水処理場２に流入する基幹配管４０に接続される複数の下水配管ｔ１〜ｔｎの全部または一部に設けられている、汚水管理システム。【選択図】図１
2005199240.tif 000002
【特許請求の範囲】
【請求項１】
汚水排出の状態を監視する、通信機能を有する監視手段と、
前記監視手段と通信して、前記汚水排出の状態に関する情報を取得する通信手段とを備え、
前記監視手段は、汚水水処理場に流入する基幹配管に接続される複数の汚水配管の全部または一部に設けられている、汚水管理システム。
【請求項２】
前記通信手段の取得した情報に基づき、前記複数の汚水配管と前記基幹配管との接続を制御する接続制御手段をさらに備え、
前記接続制御手段の制御により、前記複数の汚水配管から前記基幹配管への汚水の流路を変更する、請求項１に記載の汚水管理システム。
【請求項３】
前記汚水配管および／または前記基幹配管に設けられた浄化手段をさらに備え、
前記浄化手段は、前記接続制御手段の制御により変更された前記流路の汚水を浄化する、請求項２に記載の汚水管理システム。
【請求項４】
前記監視手段は、前記汚水配管の排水流量を測定する流量測定手段及び前記排水の汚染度を測定する汚染度測定手段の少なくとも一つを有し、測定された前記流量および／または前記汚染度を、前記受信手段へ送信する、請求項１に記載の汚水管理システム。
【請求項５】
前記監視手段は、前記汚水配管を流れる排水中の濁りを除去する濁り除去手段を有し、
前記汚染度測定手段は、前記濁り除去手段を通過した排水の汚染度を測定する、請求項４に記載の汚水管理システム。
【請求項６】
前記汚染度測定手段は、前記排水の可視光吸収を測定することにより前記汚染度を測定する、請求項４に記載の汚水管理システム。
【請求項７】
汚水排出の状態を監視し、通信する監視工程と、
前記監視工程により、前記汚水排出の状態に関する情報を取得する受信工程とを備え、
前記監視工程を、汚水処理場に流入する基幹配管に接続される複数の汚水配管の全部または一部にて行う、汚水管理方法。
【発明の詳細な説明】
【技術分野】
【０００１】
本発明は、下水道や排液配管中の汚染状態、汚濁状態を監視するための、汚水管理システム等に関する。更には汚水の汚染状態を監視し、得られた情報に従って浄化処理を行う汚水管理システム等に関する。
【背景技術】
【０００２】
下水処理場は、沈砂池、調整池、最初沈殿池、反応槽、最終沈殿池、塩素混和池などの汚水処理施設と、最初沈殿池から分離される汚泥を処理する汚泥濃縮タンク、汚泥消化タンク、汚泥脱水機、焼却、溶融設備などの汚泥処理施設とから構成される。最初沈殿池以降は、一定の処理速度をもっているため、調整池において、汚水流入量の調整を行っている。ところが、下水処理場に流れ込む流入水の中には、“悪水”と呼ばれる、汚染状態の高い排水が流れてくる場合がある。一般に事業場からの排水などには浄化処理装置を通した後に、排出されることになっているが、それらの不具合、或いは非浄化状態で排出されていることが考えられる。これら汚染状態の高い排水が処理場に流れ込むことによって、生物処理槽の微生物に悪影響を及ぼしたり、或いはろ過操作が増加するなど通常の処理工程に多大なる負荷がかかることになっている。
【０００３】
従来の下水処理場の処理効率低下に対する対策法としては、下水処理場に重金属、有機塩素化合物、シアン化合物、界面活性剤、消毒剤などの毒性物質が流入した際に、好気槽の温度制御やｐＨ制御、溶存酸素濃度などの制御を組合せることにより好気槽内の硝化細菌の活性を高め、処理効率の低下を防ぐ方法などが提案されている（特許文献１参照）。図２は、前記特許文献１に記載された従来の下水処理施設の運転方法を示すものである。
【０００４】
図２において、下水処理場に流入する流入下水２１は、最初沈殿池２２で、粗い固形物や微細な浮遊物の沈殿除去が行われる。次に、溶存酸素を消費する有機成分、病原菌、富栄養化の原因となるリンや窒素の除去を目的として、活性汚泥に代表される生物学的な処理が、嫌気槽２３、脱窒槽２４、曝気装置３１を持つ好気槽２５でそれぞれ行われる。その後、最終沈殿池２８を経て放流水２９として放流される。この際毒性物質については、最終の沈殿池２２の前或いは後に、毒物センサー３０を設置して監視が行われている。
【０００５】
前記特許文献１では、流入してきた毒性物質を検知するとともに、それらに最適な処理条件で行うための準備を速やかに行う、というものである。
【特許文献１】特開２００２−１５３８９８号公報（例えば、第６頁、図１を参照）
【発明の開示】
【発明が解決しようとする課題】
【０００６】
しかしながら、前記従来の構成では、前記毒性物質を検知する位置が図２の３０で示されるように、下水処理場に流入し、最初沈殿池の前後に設けられたものであるため、既に多くの箇所から排出された通常の排水（特に汚染状態が悪い、とは判断されない程度の、通常の汚染排水）や雨水などと混ざっているために、濃度は若干薄くなり、影響度合いは低くなっているものの、その処理量が極めて多くなる。結果として、個々の毒物センサー３０の処理の負荷が増加したり、測定の精度が落ちる等の不具合が生じ、検知手段を設けたことによるメリットを最大限に得ることができない、という課題を有していた。
【０００７】
また、特開２００１−２６９６６０号公報（例えば、第５頁、図１を参照）には、浄水場における総合水質管理システムとして、原水水質管理部を有する水質の管理システムの提案を行っており、浄水場に取り入れるまでの水質監視体制の必要性を指摘している。
【０００８】
しかしながら、本構成においても浄水場での原水取り入れ前に異常水質を事前に発見することが重要な目的であり、センサーなどを設け、監視しながら取水を行うことがその主な機能であり、結果として浄水場の近傍での情報を得ることができれば充分であり、浄水場に流れ込むまでの原水を任意の地点で監視するようなものではなかった。
【０００９】
本発明は、前記従来の課題を解決するもので、汚染状態の高い排水を早期に検知することを可能とする汚水管理システム等を提供することを目的とする。またシステムとして下水処理場に流入する以前に速やかに少量単位で処理を行う機能を設けることにより従来課題であった汚染状態の高い排水を処理場に流入する前に処理を可能とする汚水管理システム等を提供することを目的とする。
【課題を解決するための手段】
【００１０】
上記の目的を達成するために、第１の本発明は、汚水排出の状態を監視する、通信機能を有する監視手段と、
前記監視手段と通信して、前記汚水排出の状態に関する情報を取得する通信手段とを備え、
前記監視手段は、汚水処理場に流入する基幹配管に接続される複数の汚水配管の全部または一部に設けられている、汚水管理システムである。
【００１１】
また、第２の本発明は、前記通信手段の取得した情報に基づき、前記複数の汚水配管と前記基幹配管との接続を制御する接続制御手段をさらに備え、
前記接続制御手段の制御により、前記複数の汚水配管から前記基幹配管への汚水の流路を変更する、第１の本発明の汚水管理システムである。
【００１２】
また、第３の本発明は、前記汚水配管および／または前記基幹配管に設けられた浄化手段をさらに備え、
前記浄化手段は、前記接続制御手段の制御により変更された前記流路の汚水を浄化する、第２の本発明の汚水管理システムである。
【００１３】
また、第４の本発明は、前記監視手段は、前記汚水配管の排水流量を測定する流量測定手段及び前記排水の汚染度を測定する汚染度測定手段の少なくとも一つを有し、測定された前記流量および／または前記汚染度を、前記受信手段へ送信する、第１の本発明の汚水管理システムである。
【００１４】
また、第５の本発明は、前記監視手段は、前記汚水配管を流れる排水中の濁りを除去する濁り除去手段を有し、
前記汚染度測定手段は、前記濁り除去手段を通過した排水の汚染度を測定する、第４の本発明の汚水管理システムである。
【００１５】
また、第６の本発明は、前記汚染度測定手段は、前記排水の可視光吸収を測定することにより前記汚染度を測定する、第４の本発明の汚水管理システムである。
【００１６】
また、第７の本発明は、汚水排出の状態を監視し、通信する監視工程と、
前記監視工程により、前記汚水排出の状態に関する情報を取得する受信工程とを備え、
前記監視工程を、汚水処理場に流入する基幹配管に接続される複数の汚水配管の全部または一部にて行う、汚水管理方法である。
【発明の効果】
【００１７】
本発明によれば、汚染状態の高い排水を早期に検知することが可能となる。またシステムとして処理場に流入する以前に速やかに少量単位で処理を行う機能を設けることにより従来課題であった汚染状態の高い排水を処理場に流入する前に処理可能となる。
【発明を実施するための最良の形態】
【００１８】
以下図面を参照して本発明の実施の形態について説明する。
【００１９】
（実施の形態１）
図１は本発明の汚水管理システムの実施の形態１である、通信機能付き監視装置と、管理場に備えられる受信装置とからなるシステムを示す図である。
【００２０】
図１に示すように、汚水管理システムは、家庭や事業所などが汚水を排出する、複数の下水配管（ｔ１，ｔ２，ｔ３，……，ｔn）と、下水配管ｔ１，ｔ２，ｔ３，……，ｔnが接続され、下水処理場２に導入される基幹配管４０と、下水配管ｔ１，ｔ２，ｔ３，……，ｔnにそれぞれ設けられた通信機能付き監視装置（ｍ１，ｍ２，ｍ３，……，ｍn）と、監視装置ｍ１，ｍ２，ｍ３，……，ｍnとそれぞれ通信する通信装置１とを備えている。図においては、各監視装置は、各下水配管と基幹配管との合流点に設けるようにした。また、通信機能付き監視装置の具体的な例として、ＣＣＤカメラを有する携帯端末機を用いることとした。
【００２１】
以上のような構成を有する本実施の形態の汚染管理システムの動作の説明を行うと共に、これにより、本発明の汚染管理方法の一意実施の形態について説明を行う。
【００２２】
各下水配管の排水の状態を監視装置により監視を行い、得られた監視結果を通信機能として、携帯電話通信、あるいは電子メール自動発信機能を用いて、情報４として、下水管理処理場３内に備えられる受信装置１に送る。受信装置１に送られた情報は、下水処理場２へ転送され、その情報に基づき、下水処理場２では、その排水状態に応じた下水処理が各処理場毎に行えるように、準備がなされる。
【００２３】
例えば、重金属などの混入が多いため、金属イオンによる着色状態の高い排水が下水配管ｔnに流れてきた結果、下水処理場２に最も近い下水配管ｔnに設けた監視装置ｍnで早期発見されたと仮定する。その際には、管理場３に設けられた通信装置１より、監視装置側へアクセスし、（ｎ−１）番目や（ｎ−２）番目の監視装置にも、再度画像データを送信することを要求し、画像データを取得して、管理場３の監視者等の知識、経験に基づく判断や、コンピュータ等を用いた画像解析等によって、その着色状態を比較することにより、汚染状態の高い排水が流れてきた箇所、事業所を特定することが可能となる。
【００２４】
このように汚染状態の高い排水を、下水配管単位でその位置を特定しつつ早期発見することにより、精度の高い汚染度の判定を可能とし、その排出事業者を特定したり、あるいはその汚染度に応じた下水処理体制を速やかに準備することができるなど、監視装置を設けることによる利点を発現できる。
【００２５】
（実施の形態２）
図３（ａ）は本発明の汚水管理システムの実施の形態２における汚水管理システムである、通信機能付き監視装置と、管理場に備えられる通信装置、ならびに排水流路切替手段及び浄化手段を有する事前浄化システムを備えたシステムを示す模式図である。
【００２６】
図３（ａ）において、図１と同一部または相当部には同一符号を付し、詳細な説明は省略する。本実施の形態の汚水管理システムは、基本的な構成は実施の形態１と同様であるが、さらに、基幹配管４０に設けられた排水流路切替手段ｐ３及び浄化手段ｐｎを有する事前浄化システムを有する。このような事前浄化システムは、監視装置毎に設置することが、検知した情報に応じた事前浄化を行うことができるため望ましいが、下水処理事業におけるコストバランスなどにより、これら事前浄化システムの設置規模、個数、大きさなどが限定されることになり、本実施の形態では２つを有する場合について図示した。
【００２７】
ここで説明する事前浄化システムは、通常の排水流路とは別ルートで、浄化処理可能であるものであれば、特にこだわりはない。例えば排水流路切替手段としては、常套手段としてポンプ設備や流路切替弁を有するものが望ましい。また浄化手段としては、混入されてきた汚染物質にも依存することが大きいが、フィルタのようなものであっても、イオン交換樹脂のような形態であってもかまわない。メンテナンス性を考慮すればこれら事前浄化システムの数はできる限り少ないほうが望ましいが、少量での高効率に汚染物質を除去できる点も考慮すると、これらは必要最小限設置することが好ましい。
【００２８】
本実施例としては、実施の形態１と同様に、通信機能付き監視装置として、ＣＣＤカメラを有する携帯端末機を用いることとした。各下水配管の排水の状態を監視装置により監視を行い、得られた監視結果を通信機能として、携帯電話通信、あるいは電子メール自動発信機能を用いて、情報４として、下水管理処理場３内に備えられる受信装置１に送るとともに、事前浄化システム７内の通信装置６にも送る。受信装置１に送られた情報は、下水処理場２へ転送され、その情報に基づき、下水処理場２では、その排水状態に応じた下水処理が各処理場毎に行えるように、準備がなされる。
【００２９】
また事前浄化システム７内の通信装置６に送られた情報は、直ちに事前浄化システム７内で処理され、排水流路を切替、浄化されるように、制御、管理データ８に従って事前浄化処理が実施される。その後は処理後の浄化レベルに合わせ、通常の排水経路に切り替わり通常の排水ルートに流れていくことになる。また場合によっては一定の汚染レベル以下になるまで再度事前浄化システム内で同様の浄化処理が行われる。このためには排水流路切替手段のほかに、バイパス手段などを有していてもよい。
【００３０】
ここで、図３（ｂ）に、事前浄化システムの構成をさらに詳細に示す。事前浄化システムの排水流路切替手段ｐ３は、基幹配管４０の、監視装置ｍ２とｍ３との間に設けられた切替手段ｐ３ａと、監視装置ｍ３とｍnとの間に設けられた切替手段ｐ３ｂおよびｐ３ｃと、
切替手段ｐ３ａと切替手段ｐ３ｃとを接続するバイパス配管Ｌ３ａと、切替手段ｐ３ｂと切替手段ｐ３ｃとを接続するバイパス配管Ｌ３ｂとを備え、浄化手段ｐｎは、バイパス配管Ｌ３ｂ上に設けられている。
【００３１】
このような事前浄化システムの動作は以下のようになる。下水配管ｔ３内を流れる排水の状態を、監視装置ｍ３が監視した結果、予め設定した基準を越える汚染であると通信装置６側で判断された場合、切替手段ｐ３ａは基幹配管４０または下水配管ｔ２から流れてきた排水を、バイパス配管Ｌ３ａへ流れるように切り替え、また切替手段ｐ３ｂは下水配管ｔ３から流れてきた排水を、バイパス配管Ｌ３ｂへ流れるように切り替え、切替手段ｐ３ｃはバイパス配管Ｌ３ａおよびＬ３ｂから流れていた排水を、基幹配管４０の下水処理場２側へ流れるように切り替える。これにより、下水配管ｔ３の排水は、浄化手段ｐｎを経過することにより事前浄化された状態で、基幹配管４０へ流れ込むことになる。監視装置ｍ３の再監視の結果が、汚染状態が上記基準以下と通信装置６側で判断された場合、各切替手段ｐ３ａ〜ｐ３ｃはバイパス配管Ｌ３ａ、Ｌ３ｂを通過させないように流路の切り替えを行う。
【００３２】
本実施の形態によれば、以上のように汚染状態の高い排水を早期発見することにより、その排出事業者を特定したり、あるいはその汚染度に応じた下水処理体制を速やかに準備することができるなど、監視装置を設けることによる利点を発現できるとともに、事前浄化システムを設けることにより、早期に発見した汚染状態の高い排水を少量単位で浄化処理することが可能となり、下水処理場に流れ込んでいたときは充分に汚染状態の下がった排水となっているため処理場にかかる負担を小さくすることができる。
【００３３】
（実施の形態３）
実施の形態１及び２では、ＣＣＤカメラを有する携帯端末機を用いた場合について説明したが、他の監視装置であってもよいことは言うまでもない。本実施の形態においては、図４に示すような構成を有する監視装置を用いた。
【００３４】
実施の形態１などで示した家庭や事業所が下水を排出する下水配管ｍｎに図４に示す構成を有する監視装置を設けた。構成としては、流入してきた下水１１の流量を測定する流量測定手段１２並びに、サンプリングポンプ１３で一定量をサンプリングし、その下排水の汚染状態を測定する汚染度測定手段１４を備えたものであって、測定後の下排水は排出排水１６として、図１に示す通常ルートの基幹配管４０に排出される。また下水の汚濁状態によっては、適宜フィルタ１７を設けてもよい。またこのときのフィルタの個数としては、１つでもよいし、また複数個設けてもよい。当然ながら泥水などの混入が明らかにないような下水排水であればこのようなフィルタを設ける必要はない。
【００３５】
それぞれ流量測定手段１２と汚染度測定手段１４で得た情報は、別途データ変換器１５に送られる。この監視装置における通信機能としては、データ変換器１５に共存させることにより、それら流量測定結果と汚染測定結果が通信手段１、６へ通信可能なデータとして送られ、その後の処理に有用な情報として扱われることになる。なおこの場合流量測定手段としては、例えば渦流量計を用いることができる。また汚染度測定手段としては、色度計などの可視光吸収測定器を用いることができる。
【００３６】
なお、上記の各実施の形態において、下水処理場２は本発明の汚水処理場に相当し、下水配管ｔ１〜ｔｎは本発明の汚水配管に相当し、基幹配管４０は本発明の基幹配管に相当する。また、監視装置ｍ１〜ｍnは本発明の監視手段に相当し、通信装置１、６は本発明の通信手段に相当する。また排水流路切替手段ｐ３は本発明の接続制御手段に相当し、浄化手段ｐｎは本発明の浄化手段に相当する。また流量測定手段１２は本発明の流量測定手段に相当し、汚染度測定手段１４は本発明の汚染度測定手段に相当する。また、フィルタ１７は本発明の濁り除去手段に相当する。
【００３７】
ただし本発明は上記の実施の形態に限定されるものではない。上記の説明では、監視装置は各下水配管毎に設置するものとしたが、必ずしも全ての下水配管に設置する必要はなく、必要に応じて選択的に設置する構成としてもよい。また、事前浄化システムは、排水流路切替手段および浄化手段を備えたものとしたが、本発明の接続制御手段単体で実現してもよい。また、監視手段は流量測定手段、汚染度測定手段のうち、いずれか一方を備えた構成としてもよい。また下水道の下水処理場の代わりに工業排水の専用処理場などを本発明の汚水処理場としてもよい。
【００３８】
以上のような本発明は、その一例として、下水処理場に流れ込む下水の汚染状態を監視し、その汚染状態に関する情報を早期に把握することによって、下水処理場での対応を準備したり、あるいは処理場に流れ込むまでの区間で汚染状態の高い排水を少量浄化処理する設備を備えたことを特徴とする汚水管理システムである。
【００３９】
また、本発明における汚水管理システムは、その一例として、排水の汚染状態を下水処理場に混入するまでの区間で早期に監視することを主目的としており、監視装置が設置される場所は下水処理場の敷地外であることが好ましい。より具体的には、家庭や事業所からの下水の排出口毎に監視装置を設けることにより、汚染発生箇所を特定できるため、最も好ましいと考えられるが、設備負担の点を考慮すれば複数の排水が混ざり合うようなポイントに設けるのが好ましい。またポンプ処理場など、複数の下水道配管から流れ込んできた排水を集中管理できるような場所に設置することも望ましい。一方受信装置は、下水処理場などの管理場内、あるいは集中管理が可能となる場所に設置することが好ましい。また受信装置の設置箇所としては、通常無人運転されている排水処理場の場合であれば、それらの処理場を管理している管理施設にこれらの受信装置を設置することが好ましい。本発明においては、受信装置を備える場所を下水管理処理場（管理場）とし、監視装置を設けた処理場外と区別することとする。
【００４０】
通信機能つき監視装置としては、排水状態を監視し、検知した情報を発信できるものであればどのようなものでもよく、下水道配管内に張り巡らされたインターネット通信網を利用した通信手段を用いてもよいし、公衆回線網を利用したもの、あるいは携帯通信機器を利用したものでも構わない。監視装置と組合せた最も単純な構成としては、ＣＣＤ機能を搭載した携帯通信機器を挙げることができ、定期的に得られた観測画像を電子メール手段などにより、管理場に発信させることにより、本発明の目的を達成することができる。また発信の方法としては、検知情報を定期的に送る方法や、検知情報に応じた結果をその都度送る方法、あるいは、管理場に備えられた受信装置から制御手段を用いて、遠隔操作しながら監視を行い、必要な情報のみを送らせる方法などが挙げられる。
【００４１】
本構成によって、下水道配管に流入された早期段階で汚染状態を検知、把握することができ、その情報を有効利用できるため、速やかに処理場での準備を整えることが可能となる。
【００４２】
また本発明の構成によって、早期に検知した情報を元に、処理場に流入されるまでの段階で、排水流路を切替え、浄化手段を経由させることにより、事前に浄化処理を行うことが可能となるシステムを提供する。この際必要となる事前浄化システムとは、高汚染状態の排水を通常程度の汚染を有する排水まで処理することを意味する。またその設置場所としては、下水処理場に流れ込むまでに通過する場所に存在するのが好ましく、例えばポンプ処理場などの既に埋設された貯留施設や一時的に排水を保管できる設備或いはフィルタなどによる浄化設備を意味し、浄化の程度も従来汚染物質が流れてきた場合に比較して、本発明の事前浄化処理施設を通すことによって、ある程度の浄化が可能となれば、本目的は達成されるものと考えられる。
【００４３】
また本発明で定義する汚染状態の高い排水中とは、例えば、主にクロムやカドミニウム、銅などの重金属成分や染料などの有機廃液を多く含むものをいう。当然ながらそれら浄化された状態を適宜管理場に備えられる受信装置に発信することも可能であり、異なる場所にいながら排水の浄化を実施することができる。
【００４４】
更に好ましい本発明の構成における監視装置の機能としては、排水流量を測定する流量測定手段及び、排水の汚染度を測定する汚染度測定手段の少なくとも1つを有するものである。監視装置として、上記手段より得られた出力を受信装置に発信する。それら流量に関する情報と汚染度に関する情報を管理場及び／あるいは事前浄化システムに発信することにより、流れ込んできた流量（量）や汚染度（質）に応じた浄化処理を最適な手段により実施することが可能となる。
【００４５】
また更に好ましい手段として、汚染度を測定する前に濁り成分を除去する手段を設けることにより、より精度高く排水の汚染状態を検出することが可能となる。この構成を満たすことにより、例えば大雨などによって排水が泥等により濁った場合にも、濁りが汚染度の測定手段に及ぼす影響を少なくすることができる。
【００４６】
また汚染度の高い排水の原因物質として考えられるカドミウム、クロム、銅などの重金属や染料などの有機化合物の汚染度合いを可視吸収法により検出することにより本測定を行うことが可能となる。
【産業上の利用可能性】
【００４７】
本発明にかかる汚水管理システム、汚水管理方法は、汚染状態の高い排水を早期に検知することを可能とする効果を有し、下水道や排液配管の管理等として有用である。
【図面の簡単な説明】
【００４８】
【図１】本発明の実施の形態１の構成を示す図である。
【図２】本発明の背景技術を示すための図である。
【図３】（ａ）本発明の実施の形態２の構成を模式的に示す図である。（ｂ）本発明の実施の形態１の構成を詳細に示す図である。
【図４】本発明の実施の形態３の構成を示す図である。
【符号の説明】
【００４９】
１  通信装置
２  下水処理場
３  下水管理処理場（管理場）
４  得られた検知情報
５  データ
６  事前浄化システム内の受信装置
７  事前浄化システム
８  制御、管理データ
ｔ１，ｔ２，ｔ３，ｔｎ  家庭、事業所が下水を排出する下水配管
ｍ１，ｍ２，ｍ３，ｍｎ  下水配管に設けられた通信機能付き監視装置
ｐ３，ｐｎ：排水流路切替手段及び浄化手段を有する事前浄化システム
１１  流入下水
１２  流量測定手段  
１３  サンプリングポンプ  
１４  汚染度測定手段  
１５  データ変換器  
１６  排出排水  
１７  フィルタ
２１  流入下水
２２  最初沈殿地
２３  嫌気槽
２４  脱窒槽
２５  好気槽
２６  硝化液循環ポンプ
２７  活性汚泥返送ポンプ
２８  最終沈殿地
２９  放流水  
３０  毒物センサー
３１  曝気装置
３２  温度センサー
３３  温度制御装置
【図１】
2005199240.tif 000003
【図２】
2005199240.tif 000004
【図３】
2005199240.tif 000005
【図４】
2005199240.tif 000006